(57)【要約】【課題】  タイヤ仕上げ工程作業の改善と、製品タイヤの外観を向上させることが出来るタイヤ成形用金型、タイヤ成形用金型のベントホールに使用するプラグ、及びこのタイヤ成形用金型を用いて製造したタイヤを提供する。【解決手段】プラグ本体４の中心部には、前記筒状部４ｙの端面中央から形成した断面凹状の連通路６が形成され、この連通路６は、各ベントホール２の中径の排気筒部２ｂに連通している。プラグ本体４のヘッド部４ｘの上面には、金型１内への未加硫タイヤＷの挿入前はベントホール２を開放し、未加硫タイヤＷの挿入後は、未加硫タイヤＷの接触圧によりベントホール２を閉鎖する排気用スリット８が形成してある。排気用スリット８は、ヘッド部４ｘの上面Ｓに対して１０°〜８０°の傾斜角度αに形成することが好ましく、また排気用スリット８の間隙ｋは、０．５〜１．５ｍｍの範囲であることが望ましい。【選択図】  図１
2006015626.tif 000002
【特許請求の範囲】
【請求項１】
タイヤ加硫成形時に、金型と未加硫タイヤとの間に溜まった空気を排気するための多数のベントホールを設けて成るタイヤ成形用金型において、
前記各ベントホールにプラグ本体を着脱可能に装着し、このプラグ本体に、金型内への未加硫タイヤ挿入前はベントホールを開放し、未加硫タイヤ挿入後は未加硫タイヤの接触圧によりベントホールを閉鎖する排気用スリットを形成したことを特徴とするタイヤ成形用金型。
【請求項２】
前記各ベントホールに、プラグホルダーを介してプラグ本体を着脱可能に装着した請求項１に記載のタイヤ成形用金型。
【請求項３】
金型に形成されたベントホールに着脱可能に装着するタイヤ成形用金型のベントホールに使用するプラグであって、このプラグ本体は、ベントホールの排気筒部に嵌合する筒状部と、段差を有する凹部に当接するヘッド部とから成り、前記筒状部に前記排気筒部に連通する連通路を形成し、前記ヘッド部の上面に、前記連通路と金型内部とを連通または遮断する排気用スリットを形成したことを特徴とするタイヤ成形用金型のベントホールに使用するプラグ。
【請求項４】
前記プラグ本体は、ベントホールの排気筒部に嵌合するプラグホルダーと一体的に組付けた請求項３に記載のタイヤ成形用金型のベントホールに使用するプラグ。
【請求項５】
前記ヘッド部の上面に形成する排気用スリットは、直線状，螺旋状，多角形状，円形状の何れか一つを使用する請求項３または４に記載のタイヤ成形用金型のベントホールに使用するプラグ。
【請求項６】
前記ヘッド部の上面に形成する排気用スリットは、ヘッド部上面に対して１０°〜８０°の傾斜角度に形成した請求項３，４または５に記載のタイヤ成形用金型のベントホールに使用するプラグ。
【請求項７】
前記ヘッド部の上面に形成する排気用スリットの間隙は、０．５〜１．５ｍｍである請求項３，４，５または６に記載のタイヤ成形用金型のベントホールに使用するプラグ。
【請求項８】
前記排気用スリットのヘッド部の上面に、Ｖ溝を形成した請求項３，４，５，６または７に記載のタイヤ成形用金型のベントホールに使用するプラグ。
【請求項９】
前記プラグ本体及びプラグホルダーは、耐熱性の樹脂材料により一体的に形成した請求項３，４，５，６，７または８に記載のタイヤ成形用金型のベントホールに使用するプラグ。
【請求項１０】
金型に形成した多数のベントホールに、プラグ本体を着脱可能に装着して成るタイヤ成形用金型を用いて、タイヤ表面にクレータ状のベントプラグ跡を形成したタイヤ。
【発明の詳細な説明】
【技術分野】
【０００１】
この発明は、タイヤ成形用金型、タイヤ成形用金型のベントホールに使用するプラグ、及びこのタイヤ成形用金型を用いて製造したタイヤにかかわり、更に詳しくはタイヤ加硫成形時に、タイヤ表面にスピューを発生させることなく成形でき、タイヤ仕上げ工程作業の改善と、製品タイヤの外観を向上させることが出来るタイヤ成形用金型、タイヤ成形用金型のベントホールに使用するプラグ、及びこのタイヤ成形用金型を用いて製造したタイヤに関するものである。
【背景技術】
【０００２】
従来、タイヤ加硫工程で使用されるタイヤ成形用金型には、タイヤ加硫成形時に金型内面と未加硫タイヤとの間に溜まったエアーを金型外部に排気させるために、ベントホールと呼称される多数の細い排気穴（タイヤの種類にもよるが、約0.5mm 〜20mm) が形成されている。
【０００３】
この多数のベントホールは、金型のエアーが残り易い箇所に加工されており、一般的にトレッド部では３００〜１５００個、またビードリング、リムクション、サイド部等では、金型の同一周上に４個以上加工され、周列数はタイヤ形状によって異なっている。また、タイヤトレッド部の溝に囲まれた金型のデザインブロック内のベントホールは、１ヶ所以上加工されている（例えば、特許文献１，特許文献２参照）。
【０００４】
然しながら、多数のベントホールを備えた金型によりタイヤを加硫成形すると、多数のベントホールに加硫ゴムが流れ込み、製品タイヤの表面には多数の髭状の突起（スピュー）が発生する。
【０００５】
この為、タイヤ成形後のタイヤ仕上げ工程では上記のスピューを切除する作業が不可欠となり、作業性及び生産性を阻害させるばかりか、切除したスピューの屑が周囲に多数散らばって作業環境を悪化させ、更に製品タイヤの外観を悪化させると言う問題があった。  
【特許文献１】実開平７−３３６１５号のマイクロフィルム
【特許文献２】実開昭６２−１３６１１号のマイクロフィルム
【発明の開示】
【発明が解決しようとする課題】
【０００６】
この発明は、かかる従来の問題点に着目して案出されたもので、タイヤ加硫成形時に、タイヤ表面にスピューを発生させることなく成形でき、タイヤ仕上げ工程作業のスピュー除去作業を省略でき、作業環境を改善することが出来ると共に、製品タイヤの外観を向上させることが出来るタイヤ成形用金型、タイヤ成形用金型のベントホールに使用するプラグ、及びこのタイヤ成形用金型を用いて製造したタイヤを提供することを目的とするものである。
【課題を解決するための手段】
【０００７】
この発明は、上記目的を達成するため、この発明のタイヤ成形用金型は、各ベントホールにプラグ本体を着脱可能に装着し、このプラグ本体に、金型内への未加硫タイヤ挿入前はベントホールを開放し、未加硫タイヤ挿入後は未加硫タイヤの接触圧によりベントホールを閉鎖する排気用スリットを形成したことを要旨とするものである。
【０００８】
ここで、前記各ベントホールに、プラグホルダーを介してプラグ本体を着脱可能に装着することも可能である。
【０００９】
また、この発明のタイヤ成形用金型のベントホールに使用するプラグは、金型に形成されたベントホールに着脱可能に装着するタイヤ成形用金型のベントホールに使用するプラグであって、このプラグ本体は、ベントホールの排気筒部に嵌合する筒状部と、段差を有する凹部に当接するヘッド部とから成り、前記筒状部に前記排気筒部に連通する連通路を形成し、前記ヘッド部の上面に、前記連通路と金型内部とを連通または遮断する排気用スリットを形成したことを要旨とするものである。
【００１０】
ここで、前記プラグ本体は、ベントホールの排気筒部に嵌合するプラグホルダーと一体的に組付けることも可能であり、また前記ヘッド部の上面に形成する排気用スリットは、直線状，螺旋状，多角形状，円形状の何れか一つを使用するものである。
【００１１】
また、前記ヘッド部の上面に形成する排気用スリットは、ヘッド部上面に対して１０°〜８０°の傾斜角度に形成し、前記ヘッド部の上面に形成する排気用スリットの間隙は、０．５〜１．５ｍｍに設定することが好ましい。
【００１２】
更に、前記排気用スリットのヘッド部の上面には、Ｖ溝を形成しても良く、また前記プラグ本体及びプラグホルダーは、耐熱性の樹脂材料により一体的に形成するものである。
【００１３】
また、この発明のタイヤ成形用金型を用いて製造したタイヤは、金型に形成した多数のベントホールに、プラグ本体を着脱可能に装着して成るタイヤ成形用金型を用いて、タイヤ表面にクレータ状のベントプラグ跡を形成したものである。
【００１４】
このように、各ベントホールにプラグ本体を着脱可能に装着し、このプラグ本体に、金型内への未加硫タイヤ挿入前はベントホールを開放し、未加硫タイヤ挿入後はタイヤの接触圧によりベントホールを閉鎖する排気用スリットを形成したことにより、タイヤ加硫成形時に、タイヤ表面にスピューを発生させることなく成形でき、タイヤ仕上げ工程作業のスピュー除去作業を省略でき、作業環境を改善することが出来ると共に、製品タイヤの外観を向上させることが出来る。
【発明の効果】
【００１５】
この発明は、上記のように金型に形成した多数のベントホールに、金型内への未加硫タイヤ挿入前はベントホールを開放し、未加硫タイヤ挿入後は未加硫タイヤの接触圧によりベントホールを閉鎖する排気用スリットを形成したプラグ本体を着脱可能に装着したことにより、タイヤ加硫成形時に、タイヤ表面にスピューを発生させることなく成形でき、タイヤ仕上げ工程作業のスピュー除去作業を省略でき、またスピュー屑の発生が少ないので作業環境を改善することが出来ると共に、材料のコストダウンを図ることが可能であり、更に製品タイヤの外観を向上させることが出来る効果がある。
【発明を実施するための最良の形態】
【００１６】
以下、添付図面に基づきこの発明の実施の形態を説明する。
【００１７】
図１は、この発明を実施したタイヤ成形用金型の一部拡大断面図を示し、金型１には、タイヤ加硫成形時に、金型１と未加硫タイヤＷとの間に溜まった空気を排気するための多数のベントホール２が形成されている。
【００１８】
前記各ベントホール２は、この実施形態では金型１の内面１ａから外部に向かって貫通する大径の排気筒部２ａと、中径の排気筒部２ｂとがテーパ穴２ｃを介して連結され、この各ベントホール２内には、着脱可能な耐熱性樹脂（例えば、ポリテトラフルオロエチレン：ＰＴＦＥ）により一体的に形成したプラグホルダー３と、このプラグホルダー３に嵌合されたプラグ本体４とが装着してある。
【００１９】
前記プラグホルダー３は、図２に示すように、前記各ベントホール２の大径の排気筒部２ａに嵌合する筒状体５により形成され、この筒状体５の先端側５ａは、テーパ穴２ｃ及び中径の排気筒部２ｂに向かってテーパ状に形成されている。プラグホルダー３の中心部内には、前記プラグ本体４が嵌合する大径穴部３ａと中径穴部３ｂとが段差部３ｃを介して形成され、この大径穴部３ａと中径穴部３ｂとに嵌合するプラグ本体４は、図３に示すように、大径穴部３ａに嵌合するヘッド部４ｘと、中径穴部３ｂに嵌合する筒状部４ｙとで構成されている。
【００２０】
また、プラグ本体４の中心部には、前記筒状部４ｙの端面中央から形成した断面凹状の連通路６が形成され、この連通路６は、各ベントホール２の中径の排気筒部２ｂに連通している。更に、プラグ本体４のヘッド部４ｘの上面には、金型１内への未加硫タイヤＷの挿入前はベントホール２を開放し、未加硫タイヤＷの挿入後は、未加硫タイヤＷの接触圧によりベントホール２を閉鎖する排気用スリット８が形成してある。
【００２１】
前記排気用スリット８は、金型１内と各ベントホール２の中径の排気筒部２ｂとを連通または遮断するもので、この実施形態では、直線状に形成してあるが、螺旋状，多角形状，円形状の何れかにより形成することも可能である。また、排気用スリット８は、ヘッド部４ｘの上面Ｓに対して１０°〜８０°の傾斜角度αに形成することが好ましく、また排気用スリット８の間隙ｋは、０．５〜１．５ｍｍの範囲であることが望ましい。更に、排気用スリット８を形成したヘッド部４ｘの上面には、Ｖ溝７を形成しても良い。
【００２２】
なお、傾斜角度αが１０°未満であると、未加硫タイヤＷの接触圧に対して敏感に反応し、僅かな接触で排気用スリット８が閉弁してしまい、金型１内のエアーが逃げ難いと言う問題があり、また８０°を超えると逆に排気用スリット８が閉弁し難いと言う問題がある。また、排気用スリット８の間隙ｋが、０．５ｍｍ未満の場合には、排気通路が狭く排気し難いと言う問題があり、１．５ｍｍを超える場合には、排気用スリット８が閉じ難く、未加硫タイヤＷのゴムが流れ込み易いため、スピュー（模様）が大きくなると言う問題がある。
【００２３】
なお、上記の実施形態は、各ベントホール２にプラグホルダー３を介してプラグ本体４を装着してあるが、この実施形態に限定されず、各ベントホール２にプラグ本体４を直接装着することも可能である。
【００２４】
このように、金型１に形成した多数のベントホール２に、図４及び図５に示すように金型１内への未加硫タイヤＷの挿入前はベントホール２を開放し、未加硫タイヤＷの挿入後は、未加硫タイヤＷの接触圧によりベントホール２を閉鎖する排気用スリット８を備えたプラグ本体４を着脱可能に装着したことにより、タイヤ加硫成形時に、タイヤ表面にスピューを発生させることなく成形でき、タイヤ仕上げ工程作業のスピュー除去作業を省略でき、またスピューの屑の発生することが少ないので作業環境を改善することが出来ると共に、材料のコストダウンを図ることが可能である。
【００２５】
また、上記のような、多数のベントホール２に排気用スリット８を備えたプラグ本体４を装着した金型１により未加硫タイヤＷを成形すると、上述したように、金型１内への未加硫タイヤ挿入前は排気用スリット８を介してベントホール２を開放しているため、金型１と未加硫タイヤＷとの間のエアーは、ベントホール２を通って外部に排気され、また未加硫タイヤ挿入後は未加硫タイヤＷの接触圧によりベントホール２を閉鎖するので、タイヤ加硫時における溶融状態の加硫ゴムは、ベントホール２内に流れ込むことはなく、従ってスピューの発生はなく、図６に示すようなクレータ状のベントプラグ跡９を備えた外観の良好なタイヤＷを製造することが出来るものである。
【図面の簡単な説明】
【００２６】
【図１】この発明を実施したタイヤ成形用金型の一部拡大断面図である。
【図２】金型のベントホールに装着するプラグホルダーの拡大断面図である。
【図３】この発明のプラグ本体の拡大断面図である。
【図４】金型のベントホールにプラグホルダーを介してプラグ本体を装着した拡大断面図である。
【図５】図４のＡ−Ａ矢視断面図である。
【図６】この発明のタイヤ成形用金型で製造されたタイヤの一部斜視図である。
【符号の説明】
【００２７】
１  金型                        １ａ  内面
２  ベントホール                ２ａ  大径の排気筒部
２ｂ  中径の排気筒部            ２ｃ  テーパ穴
３  プラグホルダー              ３ａ  大径穴部
３ｂ  中径穴部                  ３ｃ  段差部
４  プラグ本体                    Ｗ  タイヤ
４ｘ  ヘッド部                  ４ｙ  筒状部
５  筒状体                      ５ａ  先端側
６  連通路                      ７  Ｖ溝
８  排気用スリット              ９  ベントプラグ跡                              ｋ  間隙
【図１】
2006015626.tif 000003
【図２】
2006015626.tif 000004
【図３】
2006015626.tif 000005
【図４】
2006015626.tif 000006
【図５】
2006015626.tif 000007
【図６】
2006015626.tif 000008